(57)【要約】【課題】  ウエイトの昇降回数を計測して運動者に提示するウエイトトレーニングマシン用計測装置を簡易な構成で実現する。【解決手段】  トレーニングマシン本体に対して昇降するウエイトＷに貼着または吸着自在とした被検出部材１０と、トレーニングマシンの本体Ｔ１に貼着または吸着自在とした計測ユニット１を有し、上記計測ユニットには被検出部材の変位を検出する検出部材３が収容され、被検出部材の変位によりウエイトの昇降を検出すると共に、昇降回数をカウントして運動者に表示する。【選択図】      図２
2009089799.tif 000002
【特許請求の範囲】
【請求項１】
トレーニングマシン本体に対して昇降するウエイトに貼着または吸着自在とした被検出部材と、トレーニングマシンの本体に貼着または吸着自在とした計測ユニットを有し、上記計測ユニットには被検出部材の変位を検出する検出部材が収容され、被検出部材の変位によりウエイトの昇降を検出すると共に、昇降回数をカウントして運動者に表示することを特徴とするウエイトトレーニングマシン用計測装置。
【請求項２】
ウエイトに貼着または吸着自在とした被検出部材を反射部材とすると共に、トレーニングマシンの本体に貼着または吸着自在とした計測ユニットには反射部材に対して光を出射する光源と、反射部材により反射された光を検出する検出部材を収容し、光の反射の有無によりウエイトの昇降を検出する請求項１記載のウエイトトレーニングマシン用計測装置。
【請求項３】
光源からの光が透過すると共に、反射部材により反射した光が対向面において反射する半透過反射膜を有するビームスプリッターにより反射した光を検出部材に受光させる請求項２記載のウエイトトレーニングマシン用計測装置。
【請求項４】
ウエイトに貼着または吸着自在とした被検出部材を磁性体とすると共に、トレーニングマシンの本体に貼着または吸着自在とした計測ユニットには磁性体の変位を電気的に検出する検出部材を収容し、磁性体の変位による検出部材からの電圧信号の変化によりウエイトの昇降を検出する請求項１記載のウエイトトレーニングマシン用計測装置。
【請求項５】
粘着材による粘着をもって反射部材及び計測ユニットの吸着手段とした請求項１から４のいずれかに記載のウエイトトレーニングマシン用計測装置。
【請求項６】
磁力をもって反射部材及び計測ユニットの吸着手段とした請求項１から５のいずれかに記載のウエイトトレーニングマシン用計測装置。
【請求項７】
計測ユニットに有線または無線で接続される表示ユニットを有し、上記表示ユニットのディスプレイ上に計測値を表示する請求項１から６のいずれかに記載のウエイトトレーニングマシン用計測装置。
【請求項８】
表示ユニットにウエイトの昇降ごとに発音する発音手段を設けた請求項１から７のいずれかに記載のウエイトトレーニングマシン用計測装置。
【発明の詳細な説明】
【技術分野】
【０００１】
この発明はウエイトトレーニングマシンにおいて、ウエイトの昇降回数を計測して運動者に提示するウエイトトレーニングマシン用計測装置に関する。
【背景技術】
【０００２】
複数のウエイトのうち、所望のウエイトをワイヤーやリンクを介して持ち上げて昇降させることにより筋肉を鍛える器具がウエイトトレーニングマシンとして知られている（特許文献１）。
【０００３】
効果的なウエイトトレーニングを行うためには、ウエイトを何回昇降させたかの回数を運動者において正確にカウントすることが重要であるが、往々にして回数を忘れたり、誤ってカウントすることがあった。そのため、トレーニングマシンにウエイトの昇降を検出するセンサを設け、昇降回数をカウントする計測装置が提案されていた（特許文献２）。
【０００４】
【特許文献１】実用新案登録第３１２５９２７号公報
【特許文献２】特開平１０−２３００２１
【発明の開示】
【発明が解決しようとする課題】
【０００５】
しかしながら、前記の従来技術はあらかじめトレーニングマシンに組み込んで作用するものであり、大変大がかりで設備投資のコストを要するものである。
【０００６】
一方、ウエイトトレーニングの実践に際しては、それを途切れることなく継続することが肝要であることから、自宅近くのジムの他、職場近くのジム、出張先や旅行先のホテルのジムなど、時と場所を変え様々な場面でトレーニングを行うことが日常化している。しかしながら、仮にホームグランドのジムのトレーニングマシンが昇降回数をカウントする計測装置を備えているとしても、他の場面でのジムにおいても必ずしもこの種の計測装置を備えているとは限らず、ウエイトの昇降回数をカウントする習慣を身につけて折角効果的なトレーニングを実践していてもこれが途切れることとなってしまう問題があった。
【課題を解決するための手段】
【０００７】
この発明のウエイトトレーニングマシン用計測装置は以上の従来技術の問題点に鑑みて創作されたものであり、トレーニングマシン本体に対して昇降するウエイトに貼着または吸着自在とした被検出部材と、トレーニングマシンの本体に貼着または吸着自在とした計測ユニットを有し、上記計測ユニットには被検出部材の変位を検出する検出部材が収容され、被検出部材の変位によりウエイトの昇降を検出すると共に、昇降回数をカウントして運動者に表示することを特徴とする。
【０００８】
この発明の計測装置においては、被検出部材の変位を検出する検出手段としては光学的な手段と電気的な手段が想定できる。
【０００９】
ここでは、前者として、被検出部材を反射部材とすると共に、反射部材に対して光を出射する光源と、反射部材により反射された光を検出する検出部材を使用、光の反射の有無によ被検出部材の変位を検出する手段を開示する。
【００１０】
また、後者として、被検出部材を磁性体とすると共に、磁性体の変位を電気的に検出する検出部材を使用し、磁性体の変位による検出部材からの電圧信号の変化により被検出部材の変位を検出する手段を開示する。                                                    
【００１１】
なお、被検出部材および計測ユニットを貼着または吸着する手段としては、ここでは粘着材による粘着や磁力を開示する。
【００１２】
また、カウント結果を運動者に表示するにあたって、ここでは、計測ユニットに有線または無線で接続される表示ユニットを有し、上記表示ユニットのディスプレイ上に計測値を表示することも開示する。
【発明の効果】
【００１３】
この発明の計測装置においては被検出部材はウエイトに貼着または吸着自在とされるので、それをウエイトの端面に取り付けることにより被検出部材はウエイトと共に昇降して上下に変位することとなる。一方、計測ユニットもトレーニングマシンの本体に貼着または吸着自在とされるので、それをウエイトに取り付けられた被検出部材に面して対抗するトレーニングマシンの本体の適宜位置に取り付けることにより、計測ユニットに収容された検出部材はウエイトに伴って昇降する被検出部材の変位を検出することができる。よって、被検出部材の変位のたびに変化する検出部材からの電気信号を取り出してカウントすることにより、それをウエイトの昇降回数として運動者に表示することができる。
【００１４】
この場合、計測装置はトレーニングマシンとは独立した部材である被検出部材と計測ユニットから構成され、これらはウエイトおよびトレーニングマシンの本体に貼着または吸着自在とされることにより容易に取り付けおよび取り外しができる。よって、既存のトレーニングマシンに何らの改造を要することなくこの発明の計測装置を実施することが可能となる。
【００１５】
一方、この発明の計測装置は非常に簡易な構成よりなるものであるから、低コストで製造でき、さらに計測ユニットや表示ユニットを可及的に小型化することが可能となり、運動者において気軽に購入し、容易に携帯することができる。よって、運動者はこの発明の計測装置を常に持ち歩くことにより、職場や出張先、旅行先のジムでも計測装置を既存のトレーニングマシンに取り付けて使用することができ、ウエイトの昇降回数をカウントする習慣を途切れることなく実践することが可能となり、効果的なウエイトトレーニングを行なうことができる。
【発明を実施するための最良の形態】
【００１６】
以下、この発明の具体的実施例を添付図面に基づいて説明する。図２はこの発明の計測装置の構成部材の斜視図である。この実施例においては、計測装置は被検出部材１０、計測ユニット１、表示ユニット６により構成される。ここでは、被検出部材の変位を検出する検出手段として光学的な手段を採用している。すなわち、被検出部材１０を反射部材とすると共に、反射部材に対して光を出射する光源４と、反射部材により反射された光を検出する検出部材３を使用、光の反射の有無によ被検出部材の変位を検出している（図４参照）。
【００１７】
被検出部材１０は反射部材となるミラー１１の裏面にウエイトＷの端面に吸着させるための磁石１２を設けた構成よりなり、磁力によりウエイトに対して着脱自在としている。なお、ウエイトに対して着脱する手段としては例えば粘着材による粘着であってもよいことは勿論である。
【００１８】
計測ユニット１には被検出部材１０に対して光を出射する光源２と、被検出部材により反射された光を検出する検出部材３が収容され、出射光及び反射光が正面に設けられた透光窓１Ａを透過して出入りする。ここでは、光源２からの光が透過すると共に、反射部材により反射した光が対向面において反射する半透過反射膜を有するビームスプリッターＭにより反射した光を検出部材３に受光させることにより光路を一本化し計測ユニット１の大きさを可及的に小型化するようにしている。上記の計測ユニット１の裏面にはトレーニングマシンＴの本体Ｔ１に吸着させるための磁石５が設けられ、磁力によりトレーニングマシンの本体に着脱自在としている。なお、トレーニングマシンの本体に対して着脱する手段としては例えば粘着材による粘着であってもよいことは勿論である。
【００１９】
この発明においては、ウエイトに伴って昇降する被検出部材１０の変位を検出して変化する検出部材３からの電気信号を取り出してカウントすることにより、それをウエイトの昇降回数として運動者に表示するが、ここでは表示装置は計測ユニット１とは別部材の表示ユニット６に設けるようにしている。上記表示ユニット６はウエイトの昇降回数を表示するディスプレイ８と運動者において計測装置を操作するための操作部９を有する。ここでは、操作部９としては計測開始を行うスタートボタン９Ａと計測結果をリセットするリセットボタン９Ｂを採用している。
【００２０】
前記の表示ユニット６は、接続コードＣにより計測ユニット１と電気的に接続することにより、計測ユニットと離隔した運動者の手元においてカウント結果を視認可能としている。なお、計測ユニット１と表示ユニット６は無線装置を介して接続してもよい。また、表示装置を別部材の表示ユニットでなく、計測ユニットに設けてもよいことは勿論である。この場合は計測装置全体の部材数は少なくなるので携帯は容易となるが、運動者がトレーニング中にカウント結果を視認することは難しくなる。
【００２１】
図５はこの発明の計測装置の電気回路の一例を示す図である。図中符号７は計測装置の制御を行うための制御部であり、ここでは表示ユニット６内に収容される。また、図中符号４は計測ユニット１内に収容された光源２および検出部材３と前記の制御部７を接続コードＣを介して接続するためのインターフェースである。
【００２２】
なお、この発明の計測装置においては、カウント結果を表示するディスプレイ８に加えて、ウエイトＷの昇降ごとに発音する発音手段を設けてもよい。図中符号６はその場合の電気回路の一例を示す図であり、発音をするためにスピーカー２０が表示ユニット６内に収容される。この場合、発音はウエイトの昇降のたびの単純音の他、具体的な昇降回数を発声するようにしてもよい。
【００２３】
以上の構成よりなるこの実施例の計測装置は、図１に示すように被検出部材１０をウエイトＷの端面に磁力により吸着させて取り付けると共に、やはり磁力によりトレーニングマシンの本体Ｔ１に吸着される計測ユニット１を、光源から出射した光が被検出部材の反射部材１１に当たって反射される位置に取り付けることによって使用に供される。
【００２４】
以上の実施例においては、被検出部材の変位を検出する検出手段として光学的な手段を採用していたが、検出手段はそれ以外の例えば電気的なものであってもよい。図７および図８はそのような実施例を示す図であり、被検出部材を磁性体とすると共に、磁性体の変位を電気的に検出する検出部材を使用し、磁性体の変位による検出部材からの電圧信号の変化により被検出部材の変位を検出している。図中符号４０は被検出部材であり、磁性体４１の裏面にウエイトＷに貼着または吸着するための部材４２が設けられる。この場合、磁性体４１の磁力の強さによっては被検出部材４０を磁性体のみで構成し、その磁力によりウエイトＷに吸着するようにしてもよい。
【００２５】
図中符号３１はトレーニングマシンの本体Ｔ１に貼着または吸着自在とした計測ユニットであり、被検出部材４０の磁性体４１の変位を電気的に検出する検出部材３３が収容される。ここでは、上記検出部材３３として、磁性体の変位によりコイルに誘起される起電力を電気信号として取り出す磁気センサを採用している。
【００２６】
なお、図８のこの実施例の電気回路図において、図中符号３６は前記の計測ユニット３１と接続される表示ユニット、３７は計測装置の制御を行うための制御部、３８はウエイトの昇降回数を表示するディスプレイ、３９は運動者において計測装置を操作するための操作部、３４は計測ユニット３１内に収容された検出部材３３と上記の表示ユニット内の制御部を接続コードＣを介して接続するためのインターフェースである。
【図面の簡単な説明】
【００２７】
【図１】この発明の計測装置を取り付けたウエイトトレーニングマシンの正面図。
【図２】この発明の計測装置の各部材の斜視図。
【図３】この発明の計測装置を取り付ける過程を示すウエイトトレーニングマシンの斜視図。
【図４】この発明の計測装置の光学系を示す光学図。
【図５】この発明の計測装置の電気回路を示すブロック回路図。
【図６】この発明の異なる実施例の計測装置の電気回路を示すブロック回路図。
【図７】この発明の異なる実施例の計測装置を取り付ける過程を示すウエイトトレーニングマシンの斜視図。
【図８】この発明の異なる実施例の計測装置の電気回路を示すブロック回路図。
【符号の説明】
【００２８】
Ｔ        トレーニングマシン
Ｔ１      トレーニングマシンの本体
Ｗ        ウエイト
１        計測ユニット
２        光源
３        検出部材
６        表示ユニット
８        ディスプレイ
１０      被検出部材
１１      反射部材
【図１】
2009089799.tif 000003
【図２】
2009089799.tif 000004
【図３】
2009089799.tif 000005
【図４】
2009089799.tif 000006
【図５】
2009089799.tif 000007
【図６】
2009089799.tif 000008
【図７】
2009089799.tif 000009
【図８】
2009089799.tif 000010